(57)【特許請求の範囲】
【請求項１】
携帯電話端末を内線電話端末として利用する内線電話システムであって、
前記携帯電話端末から発信された発信元の携帯番号と着信先の内線番号とを携帯電話システムから供給され、前記発信元の携帯番号を内線グループの特定に必要な内線グループ情報及び発信元の内線番号に変換して前記着信先の内線番号と共に内線処理部に供給し、前記内線処理部から前記内線グループ情報と発信元の内線番号と着信先の内線番号を供給され、前記着信先の内線番号を着信先の携帯番号に変換して前記携帯電話システムに供給する携帯内線変換部と、
前記携帯内線変換部から発信元の内線グループ情報及び内線番号と着信先の内線番号を供給され、前記内線グループ情報に対応する発信元の内線番号から着信先の内線番号への発信とする呼制御を行って前記携帯内線変換部に前記内線グループ情報と発信元の内線番号と着信先の内線番号を供給する内線処理部と、を有し、
前記携帯内線変換部は、前記携帯電話システムから供給された前記発信元の携帯番号が複数の内線グループ情報に変換される場合、前記発信元の携帯番号を、前記携帯電話端末から発信された前記着信先の内線番号に付加されている着信先の内線グループ情報と一致する内線グループ情報及び発信元の内線番号に変換する、
ことを特徴とする内線電話システム。
【請求項２】
請求項１記載の内線電話システムにおいて、
前記携帯内線変換部は、前記内線処理部から供給された前記着信先の内線番号を変換した携帯番号に対応して複数の内線グループ情報が得られる場合、前記内線処理部から供給された前記発信元の内線番号の先頭に前記内線処理部から供給された内線グループ情報を付加して前記携帯電話システムに供給する、
ことを特徴とする内線電話システム。
【請求項３】
請求項２記載の内線電話システムにおいて、
前記携帯内線変換部は、内線番号毎に内線グループ情報と内線グループ情報を予め登録した携帯内線変換データベースを有し、
前記携帯内線変換部は前記携帯内線変換データベースを前記携帯電話システムから供給された前記発信元の携帯番号で参照して前記内線グループ情報及び発信元の内線番号に変換する、
ことを特徴とする内線電話システム。
【請求項４】
請求項３記載の内線電話システムにおいて、
前記携帯内線変換部は前記携帯内線変換データベースを前記内線処理部から供給された前記内線グループ情報と着信先の内線番号で参照して前記着信先の携帯番号に変換する
ことを特徴とする内線電話システム。
【請求項５】
携帯電話端末を内線電話端末として利用する内線電話システムの内線接続方法であって、
前記内線電話システムの携帯内線変換部は前記携帯電話端末から発信された発信元の携帯番号と着信先の内線番号とを携帯電話システムから供給され、前記発信元の携帯番号を内線グループの特定に必要な内線グループ情報及び発信元の内線番号に変換して前記着信先の内線番号と共に前記内線電話システムの内線処理部に供給し、
前記内線処理部は前記携帯内線変換部から発信元の内線グループ情報及び内線番号と着信先の内線番号を供給され、前記内線グループ情報に対応する発信元の内線番号から着信先の内線番号への発信とする呼制御を行って前記携帯内線変換部に前記内線グループ情報と発信元の内線番号と着信先の内線番号を供給し、
前記携帯内線変換部は前記内線処理部から前記内線グループ情報と発信元の内線番号と着信先の内線番号を供給され、前記着信先の内線番号を着信先の携帯番号に変換して前記携帯電話システムに供給し、
前記携帯内線変換部は、前記携帯電話システムから供給された前記発信元の携帯番号が複数の内線グループ情報に変換される場合、前記発信元の携帯番号を、前記携帯電話端末から発信された前記着信先の内線番号に付加されている着信先の内線グループ情報と一致する内線グループ情報及び発信元の内線番号に変換する、
ことを特徴とする内線接続方法。
【請求項６】
請求項５記載の内線接続方法において、
前記携帯内線変換部は、前記内線処理部から供給された前記着信先の内線番号を変換した携帯番号に対応して複数の内線グループ情報が得られる場合、前記内線処理部から供給された前記発信元の内線番号の先頭に前記内線処理部から供給された内線グループ情報を付加して前記携帯電話システムに供給する、
ことを特徴とする内線接続方法。
【発明の詳細な説明】
【技術分野】
【０００１】
本発明は、携帯電話端末を利用する内線電話システム及びその内線接続方法に関する。
【背景技術】
【０００２】
近年、携帯電話端末を内線電話端末として利用するサービスが各携帯電話会社にてビジネス向けのソリューションとして提供されている。
【０００３】
図１に携帯電話端末を使用した内線電話システムの一例の構成図を示す。携帯電話網１には複数の基地局２−１，２−２，２−３等が接続されている。また、携帯電話網１の外部に内線電話システム３が設置され、内線電話システム３は携帯電話網１に接続されている。携帯電話端末４−１，４−２，４−３それぞれは各基地局２−１，２−２，２−３それぞれと無線接続する。
【０００４】
例えば携帯電話端末４−１から内線番号を入力して発呼すると、内線電話システム３は内線番号を携帯番号に変換し、例えば基地局２−３のセルに在圏する携帯電話端末４−３を呼び出す。
【０００５】
図２に携帯電話端末を使用した内線電話システムの一例の動作説明図を示す。ここで、携帯電話端末４−１（携帯電話端末Ｂ）は携帯番号「０９０−Ｂ」、内線番号「２００２」を有し、携帯電話端末４−３（携帯電話端末Ａ）は携帯番号「０９０−Ａ」、内線番号「２００１」を有するものとする。
【０００６】
（１）携帯電話端末４−１から携帯電話端末４−３の内線番号である「２００１」をダイヤルする。
【０００７】
（２）携帯電話網１の携帯電話システム５は「２００１」が「０」や「１」から始まる番号ではないため、一律に内線電話システム３にルーチングする。
【０００８】
（３）内線電話システム３の携帯内線変換部６は携帯内線変換ＤＢ（データベース）７を参照して、発携帯番号「０９０−Ｂ」を基に内線グループ名「α」を割り出し、発番号を内線番号「２００２」に変換する。そして、内線グループ名「α」を付加して内線処理部８にルーチングする。
【０００９】
（４）内線処理部８は内線加入者ＤＢ９を参照し、内線グループ名が「α」の内線番号「２００２」から内線番号「２００１」への発信として処理し、携帯内線変換部６にルーチングする。
【００１０】
（５）携帯内線変換部６は携帯内線変換ＤＢ７を参照し、内線グループ名「α」を基に着内線番号「２００１」を携帯番号「０９０−Ａ」に変換し、携帯電話システム５にルーチングする。
【００１１】
（６）携帯電話端末４−３は内線番号「２００２」の携帯電話端末４−１から着信する。
【００１２】
また、図３には、図２とは逆に、携帯電話端末４−３から携帯電話端末４−１の内線番号である「２００２」をダイヤルした場合の動作シーケンスを示す。
【００１３】
図４は携帯内線変換部６の処理フローチャートを示す。この処理は携帯電話システムから信号受信すると開始される。ステップＳ１で発信側の携帯番号（発携帯番号）から内線グループ名と内線番号を抽出できたか否かを判別する。内線グループ名と内線番号を抽出できた場合、ステップＳ２で発信側の携帯番号を内線番号に変換し、ステップＳ３で内線グループ名を付加し、内線処理部８に信号送信する。なお、ステップＳ１で内線グループ名と内線番号を抽出できなかった場合は接続不可として処理を終了する。
【００１４】
図５は携帯内線変換部６の処理フローチャートを示す。この処理は内線処理部８から信号受信すると開始される。ステップＳ５で内線グループ名と着信側の携帯番号（着内線番号）から携帯番号を抽出できたか否かを判別する。携帯番号を抽出できた場合、ステップＳ６で着信側の内線番号を携帯番号に変換し、ステップＳ７で内線グループ名を削除し、内線処理部８に信号送信する。なお、ステップＳ５で内線グループ名と内線番号を抽出できなかった場合は接続不可として処理を終了する。
【００１５】
ところで、企業内通信網を構成する内線付加装置と、複数の内線付加装置の加入者情報を収容すると共に内線付加装置の管理を司る内線サービスノードを持つネットワークで、内線付加装置は外来加入者を識別すると、外来加入者の代理として公衆網と接続するように構成することで、公衆網の収容加入者を内線網エリアでも通信可能とする技術が知られている（例えば特許文献１参照）。
【００１６】
また、携帯電話機が位置登録した公衆通話ゾーンから自営通話ゾーンへ移動した場合には、公衆電話番号への着信を構内交換機が番号変換部による公衆電話番号と内線電話番号との対応に基づいて内線電話番号への着信に変換し、また、携帯電話機が自営通話ゾーンにのみ滞在している場合には、構内交換機が携帯電話機の自営通話ゾーンでの位置登録と同時に公衆通話ゾーンでの位置登録も自動的に行い、自営通話ゾーンで公衆電話番号に応答できる技術が知られている（例えば特許文献２参照）。
【先行技術文献】
【特許文献】
【００１７】
【特許文献１】特開２００４−２８９６１８号公報
【特許文献２】特開平８−９０４２号公報
【発明の概要】
【発明が解決しようとする課題】
【００１８】
１台の携帯電話端末を複数の内線グループそれぞれに所属させ、各内線グループで使用したいという要望がある場合、図２に示す従来の内線電話システムでは発信者がどの内線グループに所属しているかを発携帯番号から一意に割り出しているため、１台の携帯電話端末を複数の内線グループに所属させることができないという問題があった。
【００１９】
また、図２に示す従来の内線電話システムでは発番号を発携帯番号から一意に割り出しているため、着信先の携帯電話端末が複数の内線グループに所属している場合、どの内線グループからの着信であるかを知ることができないという問題があった。
【００２０】
開示の内線電話システムは、１台の携帯電話端末を複数の内線グループに所属させることができることを目的とする。
【課題を解決するための手段】
【００２１】
開示の一実施形態による内線電話システムは、携帯電話端末を内線電話端末として利用する内線電話システムであって、
前記携帯電話端末から発信された発信元の携帯番号と着信先の内線番号とを携帯電話システムから供給され、前記発信元の携帯番号を内線グループの特定に必要な内線グループ情報及び発信元の内線番号に変換して前記着信先の内線番号と共に内線処理部に供給し、前記内線処理部から前記内線グループ情報と発信元の内線番号と着信先の内線番号を供給され、前記着信先の内線番号を着信先の携帯番号に変換して前記携帯電話システムに供給する携帯内線変換部と、
前記携帯内線変換部から発信元の内線グループ情報及び内線番号と着信先の内線番号を供給され、前記内線グループ情報に対応する発信元の内線番号から着信先の内線番号への発信とする呼制御を行って前記携帯内線変換部に前記内線グループ情報と発信元の内線番号と着信先の内線番号を供給する内線処理部と、を有し、
前記携帯内線変換部は、前記携帯電話システムから供給された前記発信元の携帯番号が複数の内線グループ情報に変換される場合、前記発信元の携帯番号を、前記携帯電話端末から発信された前記着信先の内線番号に付加されている着信先の内線グループ情報と一致する内線グループ情報及び発信元の内線番号に変換する。
【発明の効果】
【００２２】
本実施形態によれば、１台の携帯電話端末を複数の内線グループに所属させることができる。
【図面の簡単な説明】
【００２３】
【図１】内線電話システムの一例の構成図である。
【図２】内線電話システムの一例の動作説明図である。
【図３】内線電話システムの他の一例の動作シーケンスである。
【図４】携帯内線変換部の処理フローチャートである。
【図５】携帯内線変換部の処理フローチャートである。
【図６】内線電話システムの一実施形態の構成図である。
【図７】携帯内線変換ＤＢの一実施形態の構成図である。
【図８】内線加入者ＤＢの一実施形態の構成図である。
【図９】携帯内線変換部が実行する処理の一実施形態のフローチャートである。
【図１０】携帯内線変換部が実行する処理の一実施形態のフローチャートである。
【図１１】内線電話システムの第１動作の説明図である。
【図１２】内線電話システムの第１動作のシーケンスを示す図である。
【図１３】内線電話システムの第２動作の説明図である。
【図１４】内線電話システムの第２動作のシーケンスを示す図である。
【図１５】内線電話システムの第３動作のシーケンスを示す図である。
【図１６】内線電話システムの第４動作のシーケンスを示す図である。
【図１７】内線電話システムの第５動作のシーケンスを示す図である。。
【図１８】内線電話システムの第６動作のシーケンスを示す図である。
【図１９】内線電話システムの第７動作のシーケンスを示す図である。
【発明を実施するための形態】
【００２４】
以下、図面に基づいて実施形態を説明する。
【００２５】
＜内線電話システムの構成＞
図６は内線電話システムの一実施形態の構成図を示す。図６において、内線電話システム１０は、携帯番号と内線番号を相互に変換する携帯内線変換部２０と、受信した番号から着信ユーザへのルーチング及び付加サービスの提供を行う内線処理部３０を有している。ここでは、２つの論理的な機能部として実現しているが、携帯内線変換部２０を内線処理部３０に含めて構築しても良い。
【００２６】
ここで、ユーザの携帯電話は複数の内線グループに所属しており、ユーザは着信先の内線グループ番号を着信先の内線番号の先頭に付加し、内線電話として発信を行う。このとき、発信したユーザ情報は、発番号が「携帯番号」であり、着番号がダイヤルした「内線グループ番号＋内線番号」であり、この発番号と着番号が内線電話システム１０に送信される。なお、企業内の線電話システムにおいて、プロジェクト毎に内線グループ番号が割り当てられるような状況で、あるユーザが複数のプロジェクトに参加している場合等に、当該ユーザの携帯電話は複数の内線グループに所属することになる。
【００２７】
内線電話システム１０で受信された携帯電話システムからのユーザ情報は携帯内線変換部２０の内線グループ名判定部２１に供給される。内線グループ名判定部２１は着信先の内線グループ名を判定するため携帯内線変換情報管理部２３にアクセスする。携帯内線変換情報管理部２３は内線グループ名判定部２１から供給された内線グループ番号で携帯内線変換ＤＢ（データベース）２４を参照して着信先の内線グループ名を判定し、判定した着信先の内線グループ名を携帯番号／内線番号変換部２２に通知する。
【００２８】
図７に携帯内線変換ＤＢ２４の一実施形態の構成図を示す。携帯内線変換ＤＢ２４は内線番号毎にレコードが設けられており、各レコードは内線グループ情報としての内線グループ番号と内線グループ名、携帯番号、内線番号の項目を有している。
【００２９】
携帯番号／内線番号変換部２２は発番号の携帯番号を内線番号に変換するために、携帯内線変換情報管理部２３をアクセスし、携帯内線変換ＤＢ２４から発番号の携帯番号に割り当てられている内線番号は何番であるかを取得する。携帯番号／内線番号変換部２２はその結果を基に発番号の携帯番号を内線番号に変換し、着番号の先頭に付加されている内線グループ番号を削除して着信先の内線番号のみとし、携帯番号を変換した内線番号と着信先の内線番号を内線グループ名判定部２１で判定された内線グループ名と共に内線処理部３０に通知する。なお、携帯番号／内線番号変換部２２では必要に応じて、例えばＩＳＵＰ（ＩＳＤＮ  Ｕｓｅｒ  Ｐａｒｔ）からＳＩＰ（Ｓｅｓｓｉｏｎ  Ｉｎｉｔｉａｔｉｏｎ  Ｐｒｏｔｏｃｏｌ：セッション開始プロトコル）への変換等のプロトコルの変換を実施する場合もある。
【００３０】
内線処理部３０は一般的なＰＢＸ（構内交換機）の構成である。信号受信部３１は携帯内線変換部２０から受信した信号内容の解析を行い、受信した信号内容つまり発信元の内線番号と着信先の内線番号を受信して呼制御部３２に供給する。呼制御部３２は着信先の内線番号を用いて着信先の情報を内線加入者情報管理部３３に問い合わせる。内線加入者情報管理部３３は内線加入者ＤＢ３４を参照して着信先の呼状態等の情報を読み出して呼制御部３２に通知する。
【００３１】
図８に内線加入者ＤＢ３４の一実施形態の構成図を示す。内線加入者ＤＢ３４は内線番号毎にレコードが設けられており、各レコードは内線グループ情報としての内線グループ名、内線番号、呼状態、付加サービスの項目を有している。呼状態としては話中又は空きがある。付加サービスとしては、話中の場合に付加された転送先の内線番号に転送する話中転送サービス、留守番電話サービス、一定時間呼び出しを行って着信しない場合に付加された転送先の内線番号に転送する応答遅延サービス、メッセージ応答を行うメッセージ応答サービス等である。
【００３２】
なお、内線加入者ＤＢ３４の各レコードで内線グループ名の代りに内線グループ番号を登録、もしくは、内線グループ名と共に内線グループ番号を登録する構成であっても良い。この場合、携帯内線変換部２０では内線グループ番号と内線グループ名の変換を行う必要がなくなる。つまり、本実施形態では、内線グループ情報として内線グループ番号と内線グループ名を用いている。
【００３３】
呼制御部３２は内線加入者情報管理部３３からの通知で着信先の呼状態と付加サービス設定状況を判定し、空き状態である場合は基本サービス制御部３５に音声チャネルの捕捉等の着信指示を実施して信号送信部３７から携帯内線変換部２０に送信する。ここでは、発番号、着番号とも内線番号で内線グループ名と共に送信される。また、着信先に付加サービスが設定されている場合、呼制御部３２は付加サービス制御部３６に付加サービスを実施させる。
【００３４】
信号送信部３７からの信号を受信した内線グループ番号判定部２５は発信元の内線グループ番号を判定するため携帯内線変換情報管理部２３にアクセスする。携帯内線変換情報管理部２３は内線グループ番号判定部２５から供給された内線グループ名で携帯内線変換ＤＢ２４を参照して内線グループ番号を判定し、判定した内線グループ番号を内線番号／携帯番号変換部２６に通知する。
【００３５】
内線番号／携帯番号変換部２６は着信先の内線番号を携帯番号に変換するために、着信先の内線番号を用いて携帯内線変換情報管理部２３にアクセスし、着信先の携帯番号を取得する。内線番号／携帯番号変換部２６はその結果を基に着信先の内線番号を携帯番号に変換する。また、着信先の携帯番号が複数の内線グループに所属している場合は、発信元の内線番号の先頭に内線グループ番号判定部２５で判定した内線グループ番号を付与し、着信先の携帯電話に対する信号を携帯電話システムに送信する。着信先の携帯番号が１つの内線グループにのみ所属している場合は、発信元の内線番号の先頭に内線グループ番号を付与する必要はない。なお、内線番号／携帯番号変換部２６では必要に応じて、例えばＳＩＰからＩＳＵＰへの変換等のプロトコルの変換を実施する場合もある。
【００３６】
＜携帯内線変換部の処理フローチャート＞
図９は携帯内線変換部２０が携帯電話システムから信号を受信したときに実行する処理の一実施形態のフローチャートを示す。この処理は携帯電話システムから信号受信すると開始される。ステップＳ１１で発番号の携帯番号（発携帯番号）から内線グループと内線番号を抽出できたか否かを判別する。内線グループと内線番号を抽出できた場合、ステップＳ１２で抽出した内線グループに対応する内線グループ番号の中に、着番号の先頭の内線グループ番号と一致するものがあるか否かを判別する。
【００３７】
一致するものがある場合にはステップＳ１３で発番号の携帯番号を着番号の先頭の内線グループ番号と一致した内線グループの内線番号に変換し、着番号の先頭の内線グループ番号を削除する。例えば着番号の先頭に内線グループ番号を付けずにダイヤルした等により一致するものがない場合には、ステップＳ１４で発番号の携帯番号を内線番号に変換する。ステップＳ１３又はＳ１４を実行後、ステップＳ１５で着信先及び発信元の内線番号に着信先の内線グループ名を付加し、内線処理部３０に送信して処理を終了する。
【００３８】
一方、ステップＳ１１で内線グループと内線番号を抽出できなかった場合は接続不可として処理を終了する。
【００３９】
図１０は携帯内線変換部２０が内線処理部３０から信号を受信したときに実行する処理の一実施形態のフローチャートを示す。この処理は内線処理部３０から信号を受信すると開始される。ステップＳ２１で内線処理部３０から受信した信号の内線グループ名と着信先の内線番号から携帯番号を抽出できたか否かを判別する。携帯番号を抽出できた場合、ステップＳ２２で着信先の内線番号（着内線番号）を携帯番号に変換した後、ステップＳ２３で上記の変換した携帯番号から複数の内線グループを抽出できたか否かを判別する。
【００４０】
複数の内線グループを抽出できた場合はステップＳ２４で発信元の内線番号（発番号）の先頭に、内線処理部３０から受信した信号の発信元の内線グループ名に対応する内線グループ番号を付加する。ステップＳ２３で複数の内線グループを抽出できなかった場合はステップＳ２５に進む。
【００４１】
ステップＳ２５では発信元の内線グループ名を削除し、携帯電話システムに信号を送信する。なお、ステップＳ２１で内線グループと内線番号を抽出できなかった場合は接続不可として処理を終了する。
【００４２】
＜第１動作説明＞
図１１に携帯電話端末を使用した内線電話システムの第１動作の説明図を示す。図１２にこの第１動作のシーケンスを示す。ここで、携帯電話端末１４−１（携帯電話端末Ｂ）は携帯番号「０９０−Ｂ」であり、内線グループ名「α」の内線番号「２００２」と、内線グループ名「β」の内線番号「３００２」とを有する。また、携帯電話端末１４−３（携帯電話端末Ａ）は携帯番号「０９０−Ａ」、内線グループ名「α」の内線番号「２００１」を有するものとする。
【００４３】
（１）携帯電話端末１４−１から携帯電話端末１４−３の内線グループ名「α」の内線グループ番号「５」を先頭に付加した内線番号である「５−２００１」をダイヤルする。
【００４４】
（２）携帯電話網１１の携帯電話システム１５は「５−２００１」が「０」や「１」から始まる番号ではないため、一律に内線電話システム１０にルーチングする。
【００４５】
（３）内線電話システム１０の携帯内線変換部２０は携帯内線変換ＤＢ２４を参照し、着番号の先頭の「５」と発携帯番号「０９０−Ｂ」を基に内線グループ名「α」を割り出し、発携帯番号を内線番号「２００２」に変換する。そして、発信元と着信先の内線番号に内線グループ名「α」を付加して内線処理部３０にルーチングする。
【００４６】
（４）内線処理部３０は内線加入者ＤＢ３４を参照し、内線グループ名「α」の内線番号「２００２」から同一内線グループの内線番号「２００１」への発信として処理し、携帯内線変換部２０にルーチングする。
【００４７】
（５）携帯内線変換部２０は携帯内線変換ＤＢ２４を参照し、内線グループ名「α」を基に着信先の内線番号「２００１」を携帯番号「０９０−Ａ」に変換し、携帯電話システム１５にルーチングする。
【００４８】
（６）携帯電話端末１４−３は内線番号「２００２」の携帯電話端末１４−１から着信する。
【００４９】
このようにして、１台の携帯電話端末を複数の内線グループに所属させることができ、携帯電話端末１４−３の内線グループ名「α」に対応する内線グループ番号「５」を先頭に付加した内線番号である「５−２００１」をダイヤルすることで内線グループを特定することができる。
【００５０】
＜第２動作説明＞
図１３に携帯電話端末を使用した内線電話システムの第２動作の説明図を示し、図１４にこの第２動作のシーケンスを示す。ここで、携帯電話端末１４−１（携帯電話端末Ｂ）は携帯番号「０９０−Ｂ」であり、内線グループ名「α」の内線番号「２００２」と、内線グループ名「β」の内線番号「３００２」とを有する。また、携帯電話端末１４−３（携帯電話端末Ａ）は携帯番号「０９０−Ａ」、内線グループ名「α」の内線番号「２００１」を有するものとする。
【００５１】
（１）携帯電話端末１４−３（携帯電話端末Ａ）から携帯電話端末１４−１（携帯電話端末Ｂ）の内線番号である「２００２」をダイヤルする。ここでは内線グループ番号を付加していない。
【００５２】
（２）携帯電話網１１の携帯電話システム１５は「２００２」が「０」や「１」から始まる番号ではないため、一律に内線電話システム１０にルーチングする。
【００５３】
（３）内線電話システム１０の携帯内線変換部２０は携帯内線変換ＤＢ２４を参照し、発携帯番号「０９０−Ａ」を基に内線グループ名「α」を割り出し、発携帯番号を内線番号「２００１」に変換する。そして、発信元と着信先の内線番号に内線グループ名「α」を付加して内線処理部３０にルーチングする。
【００５４】
（４）内線処理部３０は内線加入者ＤＢ３４を参照し、内線グループ名が「α」の内線番号「２００１」から同一内線グループの内線番号「２００２」への発信として処理し、携帯内線変換部２０にルーチングする。
【００５５】
（５）携帯内線変換部２０は携帯内線変換ＤＢ２４を参照し、内線グループ名「α」を基に着信先の内線番号「２００２」を携帯番号「０９０−Ｂ」に変換する。また、この着信先の携帯番号「０９０−Ｂ」が複数の内線グループに所属しているか否かを確認して、複数の内線グループに所属しているため、発信元の内線番号「２００１」の先頭に上記内線グループ名「α」に対応する内線グループ番号「５」を付加し、着信先の携帯番号「０９０−Ｂ」と発信元の内線番号「５−２００１」を用いて携帯電話システム１５にルーチングする。
【００５６】
（６）携帯電話端末１４−１は内線番号「５−２００１」の携帯電話端末１４−３から着信する。
【００５７】
このようにして、着信先の携帯電話端末が複数の内線グループに所属している場合であっても、どの内線グループからの着信であるかを知ることができる。
【００５８】
＜第３動作シーケンス＞
図１５に携帯電話端末を使用した内線電話システムの第３動作のシーケンスを示す。
【００５９】
（１）携帯電話端末１４−３（携帯電話端末Ａ）から携帯電話端末１４−１（携帯電話端末Ｂ）の内線グループ名「β」の内線番号である「３００２」をダイヤルする。ここでは内線グループ番号を付加していない。
【００６０】
（２）携帯電話網１１の携帯電話システム１５は「３００２」が「０」や「１」から始まる番号ではないため、一律に内線電話システム１０にルーチングする。
【００６１】
（３）内線電話システム１０の携帯内線変換部２０は携帯内線変換ＤＢ２４を参照し、発携帯番号「０９０−Ａ」を基に内線グループ名「α」を割り出し、発番号を内線番号「２００１」に変換する。そして、発信元と着信先の内線番号に内線グループ名「α」を付加して内線処理部３０にルーチングする。
【００６２】
（４）内線処理部３０は内線加入者ＤＢ３４を参照し、内線グループ名が「α」の内線番号「２００１」から内線番号「３００２」への発信を解析し、内線グループ名「α」に内線番号「３００２」は存在しないため、接続不可とする。
【００６３】
＜第４動作シーケンス＞
図１６に携帯電話端末を使用した内線電話システムの第４動作のシーケンスを示す。
【００６４】
（１）携帯電話端末１４−３（携帯電話端末Ａ）から内線グループ番号「７」を先頭に付加した内線番号「７−３００２」をダイヤルする。
【００６５】
（２）携帯電話網１１の携帯電話システム１５は「７−３００２」が「０」や「１」から始まる番号ではないため、一律に内線電話システム１０にルーチングする。
【００６６】
（３）内線電話システム１０の携帯内線変換部２０は携帯内線変換ＤＢ２４を参照し、発携帯番号「０９０−Ａ」を基に内線グループ名「α」を割り出し、発番号を内線番号「２００１」に変換する。そして、発信元と着信先の内線番号に内線グループ名「α」を付加して内線処理部３０にルーチングする。
【００６７】
（４）内線処理部３０は内線加入者ＤＢ３４を参照し、内線グループ名が「α」の内線番号「２００１」から内線番号「７−３００２」への発信を解析し、内線グループ名「α」に内線番号「７−３００２」は存在しないため、接続不可とする。
【００６８】
＜第５動作シーケンス＞
図１７に携帯電話端末を使用した内線電話システムの第５動作のシーケンスを示す。ここで、携帯電話端末１４−１（携帯電話端末Ｂ）は携帯番号「０９０−Ｂ」であり、内線グループ名「α」の内線番号「２００２」と、内線グループ名「β」の内線番号「３００２」とを有する。携帯電話端末１４−２（携帯電話端末Ｃ）は携帯番号「０９０−Ｃ」であり、内線グループ名「β」の内線番号「３００３」を有するものとする。
【００６９】
（１）携帯電話端末１４−２（携帯電話端末Ｃ）から携帯電話端末１４−１（携帯電話端末Ｂ）の内線番号である「３００２」をダイヤルする。ここでは内線グループ番号を付加していない。
【００７０】
（２）携帯電話網１１の携帯電話システム１５は「３００２」が「０」や「１」から始まる番号ではないため、一律に内線電話システム１０にルーチングする。
【００７１】
（３）内線電話システム１０の携帯内線変換部２０は携帯内線変換ＤＢ２４を参照し、発携帯番号「０９０−Ｃ」を基に内線グループ名「β」を割り出し、発番号を内線番号「３００３」に変換する。そして、発信元と着信先の内線番号に内線グループ名「β」を付加して内線処理部３０にルーチングする。
【００７２】
（４）内線処理部３０は内線加入者ＤＢ３４を参照し、内線グループ名が「β」の内線番号「３００３」から同一内線グループの内線番号「３００２」への発信として処理し、携帯内線変換部２０にルーチングする。
【００７３】
（５）携帯内線変換部２０は携帯内線変換ＤＢ２４を参照し、内線グループ名「α」を基に着信先の内線番号「３００２」を携帯番号「０９０−Ｂ」に変換する。また、この着信先の携帯番号「０９０−Ｂ」が複数の内線グループに所属しているか否かを確認して、複数の内線グループ「α」，「β」に所属しているため、発信元の内線番号「３００３」の先頭に上記内線グループ名「β」に対応する内線グループ番号「７」を付加し、着信先の携帯番号「０９０−Ｂ」と発信元の内線番号「７−３００３」を用いて携帯電話システム１５にルーチングする。
【００７４】
（６）携帯電話端末１４−１は内線番号「７−３００３」の携帯電話端末１４−３から着信する。
【００７５】
＜第６動作シーケンス＞
図１８に携帯電話端末を使用した内線電話システムの第６動作のシーケンスを示す。
【００７６】
（１）携帯電話端末１４−１（携帯電話端末Ｂ）から携帯電話端末１４−２（携帯電話端末Ｃ）の内線グループ名「β」の内線グループ番号「７」を先頭に付加した内線番号である「７−３００３」をダイヤルする。
【００７７】
（２）携帯電話網１１の携帯電話システム１５は「７−３００３」が「０」や「１」から始まる番号ではないため、一律に内線電話システム１０にルーチングする。
【００７８】
（３）内線電話システム１０の携帯内線変換部２０は携帯内線変換ＤＢ２４を参照し、着番号の先頭の「７」と発携帯番号「０９０−Ｂ」を基に内線グループ名「β」を割り出し、発番号を内線番号「３００２」に変換する。そして、発信元と着信先の内線番号に内線グループ名「β」を付加して内線処理部３０にルーチングする。
【００７９】
（４）内線処理部３０は内線加入者ＤＢ３４を参照し、内線グループ名が「β」の内線番号「３００２」から同一内線グループの内線番号「３００３」への発信として処理し、携帯内線変換部２０にルーチングする。
【００８０】
（５）携帯内線変換部２０は携帯内線変換ＤＢ２４を参照し、内線グループ名「β」を基に着信先の内線番号「３００３」を携帯番号「０９０−Ｃ」に変換し、携帯電話システム１５にルーチングする。
【００８１】
（６）携帯電話端末１４−２は内線番号「３００２」の携帯電話端末１４−１から着信する。
【００８２】
＜第７動作シーケンス＞
図１９に携帯電話端末を使用した内線電話システムの第７動作のシーケンスを示す。
【００８３】
（１）携帯電話端末１４−１（携帯電話端末Ｂ）から携帯電話端末１４−３（携帯電話端末Ａ）の内線グループ名「α」の内線番号である「２００１」をダイヤルする。ここでは内線グループ番号を付加していない。
【００８４】
（２）携帯電話網１１の携帯電話システム１５は「２００１」が「０」や「１」から始まる番号ではないため、一律に内線電話システム１０にルーチングする。
【００８５】
（３）内線電話システム１０の携帯内線変換部２０は携帯内線変換ＤＢ２４を参照し、発携帯番号「０９０−Ｂ」を基に内線グループ名「α」，「β」を割り出し、内線グループ名「α」，「β」のうち、いずれの内線グループへの発信であるかが分からないため、接続不可とする。
【００８６】
上記実施形態によれば、１台の携帯電話端末を複数の内線グループに所属させることができ、着信先の携帯電話端末の内線グループ番号を先頭に付加した内線番号をダイヤルすることで内線グループを特定することができる。また、着信先の携帯電話端末が複数の内線グループに所属している場合であっても、どの内線グループからの着信であるかを知ることができる。
（付記１）
携帯電話端末を内線電話端末として利用する内線電話システムであって、
前記携帯電話端末から発信された発信元の携帯番号と着信先の内線番号とを携帯電話システムから供給され、前記発信元の携帯番号を内線グループの特定に必要な内線グループ情報及び発信元の内線番号に変換して前記着信先の内線番号と共に内線処理部に供給し、前記内線処理部から前記内線グループ情報と発信元の内線番号と着信先の内線番号を供給され、前記着信先の内線番号を着信先の携帯番号に変換して前記携帯電話システムに供給する携帯内線変換部と、
前記携帯内線変換部から発信元の内線グループ情報及び内線番号と着信先の内線番号を供給され、前記内線グループ情報に対応する発信元の内線番号から着信先の内線番号への発信とする呼制御を行って前記携帯内線変換部に前記内線グループ情報と発信元の内線番号と着信先の内線番号を供給する内線処理部と、を有し、
前記携帯内線変換部は、前記携帯電話システムから供給された前記発信元の携帯番号が複数の内線グループ情報に変換される場合、前記発信元の携帯番号を、前記携帯電話端末から発信された前記着信先の内線番号に付加されている着信先の内線グループ情報と一致する内線グループ情報及び発信元の内線番号に変換する、
ことを特徴とする内線電話システム。
（付記２）
付記１記載の内線電話システムにおいて、
前記携帯内線変換部は、前記内線処理部から供給された前記着信先の内線番号を変換した携帯番号に対応して複数の内線グループ情報が得られる場合、前記内線処理部から供給された前記発信元の内線番号の先頭に前記内線処理部から供給された内線グループ情報を付加して前記携帯電話システムに供給する、
ことを特徴とする内線電話システム。
（付記３）
付記２記載の内線電話システムにおいて、
前記携帯内線変換部は、内線番号毎に内線グループ情報と内線グループ情報を予め登録した携帯内線変換データベースを有し、
前記携帯内線変換部は前記携帯内線変換データベースを前記携帯電話システムから供給された前記発信元の携帯番号で参照して前記内線グループ情報及び発信元の内線番号に変換する、
ことを特徴とする内線電話システム。
（付記４）
付記３記載の内線電話システムにおいて、
前記携帯内線変換部は前記携帯内線変換データベースを前記内線処理部から供給された前記内線グループ情報と着信先の内線番号で参照して前記着信先の携帯番号に変換する
ことを特徴とする内線電話システム。
（付記５）
携帯電話端末を内線電話端末として利用する内線電話システムの内線接続方法であって、
前記内線電話システムの携帯内線変換部は前記携帯電話端末から発信された発信元の携帯番号と着信先の内線番号とを携帯電話システムから供給され、前記発信元の携帯番号を内線グループの特定に必要な内線グループ情報及び発信元の内線番号に変換して前記着信先の内線番号と共に前記内線電話システムの内線処理部に供給し、
前記内線処理部は前記携帯内線変換部から発信元の内線グループ情報及び内線番号と着信先の内線番号を供給され、前記内線グループ情報に対応する発信元の内線番号から着信先の内線番号への発信とする呼制御を行って前記携帯内線変換部に前記内線グループ情報と発信元の内線番号と着信先の内線番号を供給し、
前記携帯内線変換部は前記内線処理部から前記内線グループ情報と発信元の内線番号と着信先の内線番号を供給され、前記着信先の内線番号を着信先の携帯番号に変換して前記携帯電話システムに供給し、
前記携帯内線変換部は、前記携帯電話システムから供給された前記発信元の携帯番号が複数の内線グループ情報に変換される場合、前記発信元の携帯番号を、前記携帯電話端末から発信された前記着信先の内線番号に付加されている着信先の内線グループ情報と一致する内線グループ情報及び発信元の内線番号に変換する、
ことを特徴とする内線接続方法。
（付記６）
付記５記載の内線接続方法において、
前記携帯内線変換部は、前記内線処理部から供給された前記着信先の内線番号を変換した携帯番号に対応して複数の内線グループ情報が得られる場合、前記内線処理部から供給された前記発信元の内線番号の先頭に前記内線処理部から供給された内線グループ情報を付加して前記携帯電話システムに供給する、
ことを特徴とする内線接続方法。
（付記７）
付記６記載の内線接続方法において、
前記携帯内線変換部は、内線番号毎に内線グループ情報と内線グループ情報を予め登録した携帯内線変換データベースを有し、
前記携帯内線変換部は前記携帯内線変換データベースを前記携帯電話システムから供給された前記発信元の携帯番号で参照して前記内線グループ情報及び発信元の内線番号に変換する、
ことを特徴とする内線接続方法。
（付記８）
付記７記載の内線接続方法において、
前記携帯内線変換部は前記携帯内線変換データベースを前記内線処理部から供給された内線グループ情報と着信先の内線番号で参照して前記着信先の携帯番号に変換する
ことを特徴とする内線接続方法。
【符号の説明】
【００８７】
１０  内線電話システム
１１  携帯電話網
１５  携帯電話システム
２０  携帯内線変換部
２１  内線グループ名判定部
２２  携帯番号／内線番号変換部
２３  携帯内線変換情報管理部
２４  携帯内線変換ＤＢ
２５  内線グループ番号判定部
２６  内線番号／携帯番号変換部
３０  内線処理部
３１  信号受信部
３２  呼制御部
３３  内線加入者情報管理部
３４  内線加入者ＤＢ
３５  基本サービス制御部
３６  付加サービス制御部
３７  信号送信部
【図１】
0005516213.tif 000002
【図２】
0005516213.tif 000003
【図３】
0005516213.tif 000004
【図４】
0005516213.tif 000005
【図５】
0005516213.tif 000006
【図６】
0005516213.tif 000007
【図７】
0005516213.tif 000008
【図８】
0005516213.tif 000009
【図９】
0005516213.tif 000010
【図１０】
0005516213.tif 000011
【図１１】
0005516213.tif 000012
【図１２】
0005516213.tif 000013
【図１３】
0005516213.tif 000014
【図１４】
0005516213.tif 000015
【図１５】
0005516213.tif 000016
【図１６】
0005516213.tif 000017
【図１７】
0005516213.tif 000018
【図１８】
0005516213.tif 000019
【図１９】
0005516213.tif 000020